(57)【要約】【課題】建具の防火性能を向上させることにある。【解決手段】枠と、前記枠内に取り付けられた障子と、前記枠と前記障子との間に位置する機能部品と、を有する建具であって、前記枠から前記障子の方向へ突出する凸部を有し、前記機能部品が該凸部に取り付けられ、前記凸部のうちの前記機能部品が取り付けられた部分以外の部分の少なくとも一部に、加熱発泡材が設けられていることを特徴とする。【選択図】図４
2018199918.tif 000002
【特許請求の範囲】
【請求項１】
枠と、前記枠内に取り付けられた障子と、前記枠と前記障子との間に位置する機能部品と、を有する建具であって、
前記枠から前記障子の方向へ突出する凸部を有し、前記機能部品が該凸部に取り付けられ、
前記凸部のうちの前記機能部品が取り付けられた部分以外の部分の少なくとも一部に、加熱発泡材が設けられていることを特徴とする建具。
【請求項２】
請求項１に記載の建具であって、
前記機能部品は、前記障子を開閉させるための障子開閉用部品であることを特徴とする建具。
【請求項３】
請求項２に記載の建具であって、
前記凸部は、前記枠と一体的に設けられていることを特徴とする建具。
【請求項４】
請求項２又は請求項３に記載の建具であって、
前記凸部は、前記枠から前記障子の方向へ延出した延出部と、前記延出部の先端に設けられており、前記障子と対向する対向面を備える対向部と、を有し、
前記障子開閉用部品及び前記加熱発泡材は、前記対向面に取り付けられていることを特徴とする建具。
【請求項５】
請求項２乃至請求項４のいずれかに記載の建具であって、
見込み方向において前記凸部と隔離して配置され、前記枠から前記障子の方向へ突出する気密材取り付け部を有し、
前記障子開閉用部品は前記凸部と前記気密材取り付け部とに架け渡されて設けられていることを特徴とする建具。
【請求項６】
請求項２乃至請求項５のいずれかに記載の建具であって、
前記建具は、すべり出し窓であり、
前記障子開閉用部品は、すべり出し窓用ステーであることを特徴とする建具。
【発明の詳細な説明】
【技術分野】
【０００１】
本発明は、建具に関する。
【背景技術】
【０００２】
枠と、枠内に取り付けられた障子と、枠と障子との間に位置する機能部品と、を有する建具は、既によく知られている。このような建具としては、例えば、機能部品としてすべり出し窓用ステーが設けられたすべり出し窓を挙げることができる。
【先行技術文献】
【特許文献】
【０００３】
【特許文献１】特開２０１６−１８０２６９号公報
【発明の概要】
【発明が解決しようとする課題】
【０００４】
ところで、このような建具において、加熱発泡材を枠に設ける場合がある。かかる加熱発泡材は、火災が発生した際に発泡することにより、枠と障子との間を埋め、火炎や加熱空気の通り道を塞ぐ役割を果たす。
【０００５】
しかしながら、加熱発泡材が発泡しても枠と障子との間が確実に埋まらない可能性もあり、発泡した加熱発泡材で枠と障子との間がより適切に埋まるような対策が要請される。
【０００６】
本発明は、かかる課題に鑑みてなされたものであり、その目的とするところは、建具の防火性能を向上させることにある。
【課題を解決するための手段】
【０００７】
かかる目的を達成するために本発明の建具は、枠と、前記枠内に取り付けられた障子と、前記枠と前記障子との間に位置する機能部品と、を有する建具であって、
前記枠から前記障子の方向へ突出する凸部を有し、前記機能部品が該凸部に取り付けられ、
前記凸部のうちの前記機能部品が取り付けられた部分以外の部分の少なくとも一部に、加熱発泡材が設けられていることを特徴とする建具である。
【０００８】
このような建具によれば、加熱発泡材から加熱発泡材と対向する障子の対向部までの距離が短くなり、加熱発泡材が発泡した際に枠と障子との間がより適切に埋まることとなる。したがって、建具の防火性能を向上させることが可能となる。
【０００９】
かかる建具であって、
前記機能部品は、前記障子を開閉させるための障子開閉用部品であることが望ましい。
【００１０】
このような建具によれば、障子開閉用部品が取り付けられる凸部を有効に利用して、建具の防火性能を向上させることが可能となる。
【００１１】
かかる建具であって、
前記凸部は、前記枠と一体的に設けられていることが望ましい。
【００１２】
このような建具によれば、火災の際に、加熱発泡材が安定した状態（姿勢）を維持することができ、より適切に枠と障子との間を埋めることが可能となる。
【００１３】
かかる建具であって、
前記凸部は、前記枠から前記障子の方向へ延出した延出部と、前記延出部の先端に設けられており、前記障子と対向する対向面を備える対向部と、を有し、
前記障子開閉用部品及び前記加熱発泡材は、前記対向面に取り付けられていることが望ましい。
【００１４】
このような建具によれば、対向面上の加熱発泡材が障子と適切に正対することとなり、加熱発泡材が発泡した際に枠と障子との間がより適切に埋まることとなる。したがって、建具の防火性能をより一層向上させることが可能となる。
【００１５】
かかる建具であって、
見込み方向において前記凸部と隔離して配置され、前記枠から前記障子の方向へ突出する気密材取り付け部を有し、
前記障子開閉用部品は前記凸部と前記気密材取り付け部とに架け渡されて設けられていることが望ましい。
【００１６】
このような建具によれば、凸部と気密材取り付け部とで障子開閉用部品を支持することができるため、凸部の大きさを必要最小限とすることができ、凸部の製造が容易になる他コストを節約することが可能となる。
【００１７】
かかる建具であって、
前記建具は、すべり出し窓であり、
前記障子開閉用部品は、すべり出し窓用ステーであることが望ましい。
【００１８】
このような建具によれば、すべり出し窓用ステーが取り付けられる凸部を有効に利用して、すべり出し窓の防火性能を向上させることが可能となる。
【発明の効果】
【００１９】
本発明によれば、建具の防火性能を向上させることが可能となる。
【図面の簡単な説明】
【００２０】
【図１】横すべり出し窓１の正面図である。
【図２】横すべり出し窓１の縦断面図である。
【図３】横すべり出し窓１の横断面図である。
【図４】図３の縦枠１３及び縦框３６周辺を拡大した拡大図である。
【図５】図２の上枠１１及び上框３２周辺を拡大した拡大図である。
【図６】図２の下枠１２及び下框４４周辺を拡大した拡大図である。
【発明を実施するための形態】
【００２１】
本実施の形態に係る横すべり出し窓１（建具及びすべり出し窓に相当）について、図１乃至図３を用いて説明する。図１は、横すべり出し窓１の正面図である。図２は、横すべり出し窓１の縦断面図である。図３は、横すべり出し窓１の横断面図である。なお、図３においては、オペレーターハンドル３の記載を省略している。
【００２２】
なお、以下の説明においては、横すべり出し窓１が建物等に取り付けられた状態において、上下となる方向を上下方向、左右となる方向を左右方向、室内外方向である奥行き方向を見込み方向として示す。
【００２３】
本実施形態の横すべり出し窓１は、矩形状に枠組みされて開口を形成する窓枠１０（枠に相当）と、窓枠１０内に取り付けられた可動障子２０（障子に相当）と、窓枠１０と可動障子２０との間に位置するすべり出し窓用ステー５０（機能部品及び障子開閉用部品に相当）を備えている。可動障子２０は、窓枠１０に対し、縦方向（上下方向）に移動自在かつ回動自在（開閉自在）に、すべり出し窓用ステー５０によって支持されている。そして、オペレーターハンドル３を操作して、可動障子２０を移動かつ回動させることにより、開口を開いたり閉じたりできるようになっている。
【００２４】
窓枠１０は、上下の上枠１１及び下枠１２と左右の縦枠１３とが矩形状に枠組みされた四方枠となっている。この窓枠１０は、いずれの枠も、金属製（本実施の形態においては、アルミニウム製）窓枠材（押出成形部材）で形成された窓枠となっている。なお、室内側の窓枠１０には、樹脂製のカバー材１５が設けられている。
【００２５】
可動障子２０は、框体２２と複層ガラス２１とを有している。
【００２６】
框体２２は、上下の上框３２及び下框４４と左右の縦框３６からなり、矩形状に框組みされている。そして、框体２２に囲まれた領域を塞ぐように複層ガラス２１が設けられている。
【００２７】
この框体２２は、いずれの框も、金属製（本実施の形態においては、アルミニウム製）の室外側に位置する框材（以下、外框部２３と呼ぶ。図４乃至図６参照）と、合成樹脂製の室内側に位置する框材（以下、内框部２５と呼ぶ。図４乃至図６参照）が連結されたものとなっている。なお、外框部２３及び内框部２５は、いずれも押出成型部材である。このように、可動障子２０は、アルミ樹脂複合の框体２２を備える断熱可動障子となっている。
【００２８】
複層ガラス２１は、外側ガラス２１ａと内側ガラス２１ｂとが見込み方向において間隔を隔てて対面し、外側ガラス２１ａと内側ガラス２１ｂの上下方向と左右方向の内周端には、内部に乾燥剤が封入されたスペーサー２１ｃが設けられている。複層ガラス２１については、その端部が、外框部２３と内框部２５が延出することにより形成された後述するガラス収容溝２８に収容されている。
【００２９】
すべり出し窓用ステー５０は、可動障子２０の窓枠１０に対する相対位置を変化させて、可動障子２０を開閉させるための金属製の部材である。すなわち、横すべり出し窓１においては、可動障子２０がすべり出し窓用ステー５０によって窓枠１０に取り付けられており、すべり出し窓用ステー５０が動作することにより、可動障子２０が開閉するようになっている。すべり出し窓用ステー５０は、図３に示すように、縦枠１３と縦框３６との間に位置し、縦枠１３と縦框３６とにそれぞれ取り付けられている（固定されている）。
【００３０】
なお、かかるすべり出し窓用ステー５０としては、二つのすべり出し窓用ステー５０、すなわち、左の縦枠１３と左の縦框３６間に取り付けられる左側のすべり出し窓用ステー５０と、右の縦枠１３と右の縦框３６間に取り付けられる右側のすべり出し窓用ステー５０とが存在する。
【００３１】
本実施の形態に係る横すべり出し窓１においては、複数箇所に加熱発泡材７０が備えられている。この加熱発泡材７０は、若干の厚みを有するシート状の部材であり、火災の際に火炎に晒されると膨張して、その体積が大きくなる。そして、このことにより、隙間を埋め、火炎や加熱空気の通り道を塞ぐ機能を有する。以下では、加熱発泡材７０の配置について説明する。
【００３２】
先ず、縦枠１３及び縦框３６周辺の加熱発泡材７０について、図４を用いて説明する。図４は、図３の縦枠１３及び縦框３６周辺を拡大した拡大図である。なお、図４は、左側の縦枠１３及び縦框３６周辺を表している。図３から明らかなように、左側の縦枠１３及び縦框３６周辺の構成と右側の縦枠１３及び縦框３６周辺の構成は同様であるため、以下では、左側の構成についてのみ図４を参照しつつ説明し、右側の構成については説明を省略する。
【００３３】
図４に示すように、縦枠１３には加熱発泡材７０（便宜上、縦枠発泡材７４と呼ぶ）が一箇所に取り付けられている。本実施の形態において、この縦枠発泡材７４は、後述するステー取り付け凸部１３ｂに設けられている。
【００３４】
前述したとおり、縦枠１３と縦框３６との間にはすべり出し窓用ステー５０が設けられており、当該すべり出し窓用ステー５０は縦枠１３と縦框３６に取り付けられている。ここで、本実施の形態においては、すべり出し窓用ステー５０が縦枠本体１３ａに直接的に取り付けられているのではなく、窓枠１０（縦枠１３）から可動障子２０（縦框３６）の方向へ左右方向に突出した凸部分（以下、ステー取り付け凸部１３ｂと呼ぶ。凸部に相当）に取り付けられている。このようにした理由は、すべり出し窓用ステー５０が動作する際に、すべり出し窓用ステー５０が後述する気密材取り付け凸部１３ｃ（気密材取り付け部に相当）に物理的に干渉することを回避するためである。
【００３５】
すなわち、見込み方向においてステー取り付け凸部１３ｂと隣り合う位置には、気密材８０（ＡＴ材）を取り付けるための気密材取り付け凸部１３ｃが設けられており、この気密材取り付け凸部１３ｃも、窓枠１０（縦枠１３）から可動障子２０（縦框３６）の方向へ左右方向に突出した凸部分となっている。仮に、ステー取り付け凸部１３ｂを設けずに、すべり出し窓用ステー５０を、図４において気密材取り付け凸部１３ｃよりも室内側かつ縦枠本体１３ａに接触するように設置した場合には、すべり出し窓用ステー５０が動作する際に（つまり、可動障子２０が黒矢印の方向に動作して開く際に）、すべり出し窓用ステー５０が気密材取り付け凸部１３ｃに衝突してしまう。そこで、本実施の形態においては、ステー取り付け凸部１３ｂを縦枠１３（縦枠本体１３ａ）に咬ませて高さ調整を行っている。
【００３６】
このように、本実施の形態に係る縦枠１３は、縦枠本体１３ａと、縦枠本体１３ａから可動障子２０（縦框３６）の方向へそれぞれ突出したステー取り付け凸部１３ｂ及び気密材取り付け凸部１３ｃと、を備えている。つまり、本実施の形態に係るステー取り付け凸部１３ｂ及び気密材取り付け凸部１３ｃは、窓枠１０（縦枠１３）の一部であり、窓枠１０（縦枠１３）と一体的に設けられている。
【００３７】
ステー取り付け凸部１３ｂは、窓枠１０（縦枠１３）から可動障子２０（縦框３６）の方向へ延出した延出部１３ｄと、延出部１３ｄの先端に設けられており（一体的に接続されており）可動障子２０（縦框３６）と対向する対向面Ｐを備える対向部１３ｅと、を有している。そして、すべり出し窓用ステー５０は、当該対向部１３ｅ（対向面Ｐ）にネジ８２で取り付けられている（固定されている）。なお、本実施の形態に係るすべり出し窓用ステー５０は、ステー取り付け凸部１３ｂだけでなく、気密材取り付け凸部１３ｃにも接触した状態で、ネジ止めされている。換言すれば、すべり出し窓用ステー５０は、ステー取り付け凸部１３ｂと気密材取り付け凸部１３ｃとに架け渡されて設けられている。また、気密材取り付け凸部１３ｃは、見込み方向においてステー取り付け凸部１３ｂと隔離して配置されており、それぞれが別個に存在している。
【００３８】
そして、縦枠発泡材７４は、ステー取り付け凸部１３ｂのうちのすべり出し窓用ステー５０が取り付けられた部分以外の部分の少なくとも一部に設けられている。すなわち、本実施の形態に係るステー取り付け凸部１３ｂは、上下方向（図４において紙面を貫く方向）において、すべり出し窓用ステー５０のみに対応する長さではなく、全長に亘って（縦枠１３の上端部から下端部に亘って）設けられている。そして、縦枠発泡材７４は、ステー取り付け凸部１３ｂのうち、すべり出し窓用ステー５０が取り付けられた部分の上側と下側にそれぞれ設けられている。
【００３９】
換言すると、対向部１３ｅ（対向面Ｐ）は、上下方向において全長に亘って設けられ、その一部分にすべり出し窓用ステー５０が固定されている。そして、対向部１３ｅ（対向面Ｐ）のうち、すべり出し窓用ステー５０が取り付けられた部分の上側と下側に、縦枠発泡材７４が貼付されている。したがって、当該上側と下側に貼付された縦枠発泡材７４は、可動障子２０（縦框３６）と対向した状態にある。つまり、縦枠発泡材７４は、縦框３６と左右方向において対向する対向面Ｐに取り付けられている（貼付されている）。
【００４０】
また、図４に示すように、縦框３６には加熱発泡材７０（便宜上、縦框発泡材７５と呼ぶ）が二箇所に取り付けられている。
【００４１】
縦框３６の外框部２３は、長手方向（上下方向）に貫通する中空空間を形成する縦框中空部３７と、当該縦框中空部３７の室外側の端から内側へ延出した内側延出部３８と、縦框中空部３７の室外側の端から外側へ延出した外側延出部３９と、を備えている。
【００４２】
また、縦框中空部３７は、室内側に位置し左右方向に沿った第一中空部３７ａ、室外側に位置し左右方向に沿った第二中空部３７ｂ、外側に位置し見込み方向に沿った第三中空部３７ｃ、内側に位置し見込み方向に沿った第四中空部３７ｄと、を有している。そして、前述したすべり出し窓用ステー５０は、第三中空部３７ｃにネジ８３で取り付けられており（固定されており）、第一中空部３７ａには後述する内框係合部４１と係合する外框係合部３７ｅが設けられている。
【００４３】
また、縦框３６の内框部２５は、外框係合部３７ｅと係合する内框係合部４１と、内框係合部４１の内側の端から内側へ延出した内框延出部４２と、を備えている。
【００４４】
そして、内側延出部３８、縦框中空部３７の第四中空部３７ｄ、内框係合部４１、内框延出部４２により、複層ガラス２１の端部が収容されるガラス収容溝２８が形成されている。つまり、ガラス収容溝２８は、図４の断面において、溝底部２８ａ、室外側溝側部２８ｂ、室内側溝側部２８ｃを有するコの字形状となっており、溝底部２８ａが、第四中空部３７ｄ及び内框係合部４１により、室外側溝側部２８ｂが内側延出部３８により、室内側溝側部２８ｃが内框延出部４２により、それぞれ形成されている。
【００４５】
また、当該ガラス収容溝２８には、ガラス収容溝２８のコの字形状に沿って、コの字形状でスチール製の補強材３０が上下方向において全長に亘って（縦框３６の上端部から下端部に亘って）収容されている。この補強材３０は、溝底部２８ａに沿った補強材底部３０ａと、室外側溝側部２８ｂに沿った室外側補強材側部３０ｂと、室内側溝側部２８ｃに沿った室内側補強材側部３０ｃと、を有している。
【００４６】
そして、縦框発泡材７５は、外側延出部３９の室内側の面と、補強材底部３０ａの室外側の端部と、に取り付けられている（貼付されている）。なお、補強材底部３０ａに取り付けられている縦框発泡材７５は、上下方向において全長に亘って（縦框３６の上端部から下端部に亘って）設けられている。また、外側延出部３９に取り付けられている縦框発泡材７５は、上下方向において、不図示のキャップが存在する上端部及び下端部を除いた位置に設けられている。
【００４７】
次に、上枠１１及び上框３２周辺の加熱発泡材７０について、図５を用いて説明する。図５は、図２の上枠１１及び上框３２周辺を拡大した拡大図である。
【００４８】
図５に示すように、上框３２には、加熱発泡材７０（便宜上、上框発泡材７６と呼ぶ）が二箇所に取り付けられている。なお、下枠１２や縦枠１３とは異なり、上枠１１には、加熱発泡材７０が設けられていない。
【００４９】
上框３２の外框部２３は、見込み方向に沿い、後述する内框係合部３２ｅと係合する外框係合部３２ｄを室内側の端部に備える上框本体部３２ａと、当該上框本体部３２ａの室外側の端から下側へ延出した下側延出部３２ｂと、上框本体部３２ａの室外側の端から上側へ延出した上側延出部３２ｃと、を備えている。
【００５０】
また、上框３２の内框部２５は、上下方向に沿い、外框係合部３２ｄと係合する内框係合部３２ｅを上端部に備えている。
【００５１】
そして、上框本体部３２ａ、下側延出部３２ｂ、内框部２５により、複層ガラス２１の端部が収容されるガラス収容溝２８が形成されている。つまり、ガラス収容溝２８は、図５の断面において、溝底部２８ａ、室外側溝側部２８ｂ、室内側溝側部２８ｃを有するコの字形状となっており、溝底部２８ａが、上框本体部３２ａにより、室外側溝側部２８ｂが下側延出部３２ｂにより、室内側溝側部２８ｃが内框部２５により、それぞれ形成されている。
【００５２】
また、当該ガラス収容溝２８には、ガラス収容溝２８のコの字形状に沿って、コの字形状でスチール製の補強材３０が左右方向において全長に亘って（上框３２の左端部から右端部に亘って）収容されている。この補強材３０は、溝底部２８ａに沿った補強材底部３０ａと、室外側溝側部２８ｂに沿った室外側補強材側部３０ｂと、室内側溝側部２８ｃに沿った室内側補強材側部３０ｃと、を有している。
【００５３】
そして、上框発泡材７６は、上側延出部３２ｃの室内側の面と、補強材底部３０ａの室内側の端部と、に全長に亘って（上框３２の左端部から右端部に亘って）取り付けられている（貼付されている）。
【００５４】
次に、下枠１２及び下框４４周辺の加熱発泡材７０について、図６を用いて説明する。図６は、図２の下枠１２及び下框４４周辺を拡大した拡大図である。
【００５５】
図６に示すように、下枠１２には加熱発泡材７０（便宜上、下枠発泡材７２と呼ぶ）が一箇所に取り付けられている。この下枠発泡材７２は、下枠１２のうちの下框４４と上下方向において対向する対向面１２ａに取り付けられている（貼付されている）。なお、当該下枠発泡材７２は、左右方向において、不図示の水抜き加工部が存在する左端部及び右端部を除いた位置に設けられている。
【００５６】
また、下框４４には、加熱発泡材７０（便宜上、下框発泡材７３と呼ぶ）が二箇所に取り付けられている。
【００５７】
下框４４の外框部２３は、長手方向（左右方向）に貫通する中空空間を形成する下框中空部４５と、当該下框中空部４５の室外側の端から上側へ延出した上側延出部４６と、下框中空部４５の室外側の端から下側へ延出した下側延出部４７と、を備えている。
【００５８】
また、下框中空部４５は、下側に位置し見込み方向に沿った第一中空部４５ａ、上側に位置し見込み方向に沿った第二中空部４５ｂ、室外側に位置し上下方向に沿った第三中空部４５ｃ、室内側に位置し上下方向に沿った第四中空部４５ｄと、を有している。そして、下框中空部４５の中空空間には、コの字形状でスチール製の補強材３０が左右方向において全長に亘って（下框４４の左端部から右端部に亘って）収容され、第四中空部４５ｄには後述する内框係合部４８と係合する外框係合部４５ｅが設けられている。
【００５９】
また、下框４４の内框部２５は、外框係合部４５ｅと係合する内框係合部４８と、内框係合部４８から上側へ延出した内框延出部４９と、を備えている。
【００６０】
そして、上側延出部４６、下框中空部４５の第二中空部４５ｂ、内框係合部４８、内框延出部４９により、複層ガラス２１の端部が収容されるガラス収容溝２８が形成されている。つまり、ガラス収容溝２８は、図４の断面において、溝底部２８ａ、室外側溝側部２８ｂ、室内側溝側部２８ｃを有するコの字形状となっており、溝底部２８ａが、第二中空部４５ｂ及び内框係合部４８により、室外側溝側部２８ｂが上側延出部４６により、室内側溝側部２８ｃが内框延出部４９により、それぞれ形成されている。
【００６１】
また、当該ガラス収容溝２８には、ガラス収容溝２８のコの字形状に沿って、コの字形状でスチール製の補強材３０が左右方向において全長に亘って（下框４４の左端部から右端部に亘って）収容されている。この補強材３０は、溝底部２８ａに沿った補強材底部３０ａと、室外側溝側部２８ｂに沿った室外側補強材側部３０ｂと、室内側溝側部２８ｃに沿った室内側補強材側部３０ｃと、を有している。なお、この補強材３０は、前述した下框中空部４５の中空空間に位置する補強材３０とネジ８４で固定されている。
【００６２】
そして、下框発泡材７３は、下側延出部４７の室内側の面と、補強材底部３０ａの室外側の端部と、に全長に亘って（下框４４の左端部から右端部に亘って）取り付けられている（貼付されている）。
【００６３】
上述したとおり、本実施の形態に係る横すべり出し窓１は、窓枠１０と、窓枠１０内に取り付けられた可動障子２０と、窓枠１０と可動障子２０との間に位置するすべり出し窓用ステー５０と、を有している。そして、横すべり出し窓１は、窓枠１０（縦枠１３）から可動障子２０の方向へ突出するステー取り付け凸部１３ｂを有し、すべり出し窓用ステー５０が当該ステー取り付け凸部１３ｂに取り付けられ、ステー取り付け凸部１３ｂのうちのすべり出し窓用ステー５０が取り付けられた部分以外の部分の少なくとも一部に、加熱発泡材７０が設けられていることとした。そのため、横すべり出し窓１の防火性能を向上させることが可能となる。
【００６４】
従来の横すべり出し窓１の中にも、窓枠１０（縦枠１３）から可動障子２０の方向へ突出したステー取り付け凸部１３ｂが備えられているものがあったが、ステー取り付け凸部１３ｂはすべり出し窓用ステー５０を取り付けるためだけのものであった。つまり、ステー取り付け凸部１３ｂには加熱発泡材７０は設けられておらず、加熱発泡材７０は縦枠本体１３ａに設けられていた（取り付けられていた）。そのため、加熱発泡材７０から加熱発泡材７０と対向する可動障子２０の対向部までの距離が長く、加熱発泡材が発泡しても窓枠１０（縦枠１３）と可動障子２０との間が確実に埋まらない可能性があった。
【００６５】
これに対し、本実施の形態においては、ステー取り付け凸部１３ｂのうちのすべり出し窓用ステー５０が取り付けられた部分以外の部分の少なくとも一部に、加熱発泡材７０を設けることとした。すなわち、ステー取り付け凸部１３ｂに、すべり出し窓用ステー５０を取り付ける機能だけでなく、加熱発泡材７０を取り付ける機能も持たせることとした。そのため、加熱発泡材７０から加熱発泡材７０と対向する可動障子２０の対向部（本実施の形態においては、縦框中空部３７の第三中空部３７ｃ）までの距離が従来例よりも短くなり、加熱発泡材が発泡した際に窓枠１０（縦枠１３）と可動障子２０との間がより適切に埋まることとなる。したがって、本実施の形態によれば、横すべり出し窓１の防火性能を向上させることが可能となる。
【００６６】
また、本実施の形態に係るステー取り付け凸部１３ｂは、窓枠１０（縦枠１３）から可動障子２０（縦框３６）の方向へ延出した延出部１３ｄと、延出部１３ｄの先端に設けられており可動障子２０（縦框３６）と対向する対向面Ｐを備える対向部１３ｅと、を有し、すべり出し窓用ステー５０及び加熱発泡材７０は、前記対向面Ｐに取り付けられていることとした。
【００６７】
そのため、対向面Ｐ上の加熱発泡材７０が可動障子２０（縦框３６）と適切に正対することとなり、加熱発泡材が発泡した際に窓枠１０（縦枠１３）と可動障子２０との間がより適切に埋まることとなる。したがって、横すべり出し窓１の防火性能をより一層向上させることが可能となる。
【００６８】
また、上記実施の形態においては、見込み方向においてステー取り付け凸部１３ｂと隔離して配置され、窓枠１０（縦枠１３）から可動障子２０の方向へ突出する気密材取り付け凸部１３ｃを有し、すべり出し窓用ステー５０は、ステー取り付け凸部１３ｂと気密材取り付け凸部１３ｃとに架け渡されて設けられていることとした。
【００６９】
そのため、ステー取り付け凸部１３ｂと気密材取り付け凸部１３ｃとですべり出し窓用ステー５０を支持することができるため、ステー取り付け凸部１３ｂの大きさを必要最小限とすることができ、ステー取り付け凸部１３ｂの製造が容易になる他コストを節約することが可能となる。
【００７０】
上記実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７１】
上記実施の形態においては、建具としてすべり出し窓を例に挙げて説明したが、これに限定されるものではない。例えば、内倒し窓であってもよい。また、すべり出し窓として横すべり出し窓１を例に挙げて説明したが、これに限定されるものではなく、縦すべり出し窓であってもよい。
【００７２】
また、上記実施の形態においては、機能部品として障子開閉用部品を例に挙げて説明したが、これに限定されるものではない。例えば、ロッキングハンドルやサブロックの受け部品、全半開部品であってもよい。また、障子開閉用部品としてすべり出し窓用ステー５０を例に挙げて説明したが、これに限定されるものではない。例えば、丁番、内倒し窓用アームであってもよい。
【００７３】
また、上記実施の形態においては、すべり出し窓用ステー５０が取り付けられるステー取り付け凸部として、窓枠１０（縦枠１３）と一体的に設けられているステー取り付け凸部１３ｂを例に挙げたが、これに限定されるものではない。例えば、ステー取り付け凸部は、窓枠（縦枠）とは別体の部材（アタッチメント）であってもよい。
【００７４】
別体の部材（アタッチメント）の場合には、火災の際に窓枠（縦枠）から外れる可能性があるが、上記実施の形態のようにステー取り付け凸部１３ｂが窓枠１０（縦枠１３）と一体的に設けられている場合には、このような可能性がない。したがって、火災の際に、加熱発泡材７０が安定した状態（姿勢）を維持することができ、より適切に窓枠１０（縦枠１３）と可動障子２０との間を埋めることが可能となる点で、上記実施の形態の方が望ましい。
【符号の説明】
【００７５】
１  横すべり出し窓、３  オペレーターハンドル
１０  窓枠、１１  上枠、１２  下枠、１２ａ  対向面
１３  縦枠、１３ａ  縦枠本体、１３ｂ  ステー取り付け凸部
１３ｃ  気密材取り付け凸部、１３ｄ  延出部、１３ｅ  対向部
１５  カバー材、２０  可動障子
２１  複層ガラス、２１ａ  外側ガラス、２１ｂ  内側ガラス、２１ｃ  スペーサー
２２  框体、２３  外框部、２５  内框部
２８  ガラス収容溝、２８ａ  溝底部、２８ｂ  室外側溝側部、２８ｃ  室内側溝側部
３０  補強材
３０ａ  補強材底部、３０ｂ  室外側補強材側部、３０ｃ  室内側補強材側部
３２  上框、３２ａ  上框本体部、３２ｂ  下側延出部
３２ｃ  上側延出部、３２ｄ  外框係合部、３２ｅ  内框係合部
３６  縦框、３７  縦框中空部、３７ａ  第一中空部、３７ｂ  第二中空部
３７ｃ  第三中空部、３７ｄ  第四中空部、３７ｅ  外框係合部
３８  内側延出部、３９  外側延出部、４１  内框係合部、４２  内框延出部
４４  下框、４５  下框中空部、４５ａ  第一中空部、４５ｂ  第二中空部
４５ｃ  第三中空部、４５ｄ  第四中空部、４５ｅ  外框係合部
４６  上側延出部、４７  下側延出部、４８  内框係合部、４９  内框延出部
５０  すべり出し窓用ステー
７０  加熱発泡材、７２  下枠発泡材、７３  下框発泡材
７４  縦枠発泡材、７５  縦框発泡材、７６  上框発泡材
８０  気密材、８２  ネジ、８３  ネジ、８４  ネジ
Ｐ  対向面
【図１】
2018199918.tif 000003
【図２】
2018199918.tif 000004
【図３】
2018199918.tif 000005
【図４】
2018199918.tif 000006
【図５】
2018199918.tif 000007
【図６】
2018199918.tif 000008